Podtech/llm-jp-corpus-v4-ja_patent huggingface dataset:
(57)【要約】      （修正有）【課題】写真などの絵柄が精密に表されたタオルを提供する。【解決手段】タオル１は、第１の面２がパイル面であり、通常のタオルと同様の感触を有していてタオルとして使用できるものであり、第２の面３にはポリエステル糸を第２の緯糸として使用して線朱子織りがされた上に起毛処理を行われていて、そこに昇華転写による印刷で精密な柄が表現する。【選択図】図１
0003153890.tif 000002
【実用新案登録請求の範囲】
【請求項１】
第１の面がパイル面であり、第２の面は起毛されていて昇華転写による印刷が施されているタオル。
【考案の詳細な説明】
【技術分野】
【０００１】
この考案は、柄が印刷されたタオルに関する。
【背景技術】
【０００２】
タオルなどのパイル織物に柄を表す方法として、色の異なる糸で織る表現の他、シャーリングと呼ばれるパイルの切断をした後にスクリーン印刷を行う技術が有る（たとえば、特許文献１）。また、特許文献２には、パイル織物のリストバンドに転写で、写真等の図柄を捺染することが記載されている。
【先行技術文献】
【特許文献】
【０００３】
【特許文献１】特開平９−２６８４８１号
【特許文献２】実用新案登録第３１２２１５８号
【考案の概要】
【考案が解決しようとする課題】
【０００４】
特許文献１に記載されているようなシャーリング加工およびスクリーン印刷では、精密に柄を表現することができず、たとえば写真の柄を写真らしく再現することはできない。一方、特許文献２に記載されているリストバンドは編み物であり、その考案はタオル生地のような織物に適用することができない。さらに、図柄が捺染されるのはパイルを有しない平地部であり、結局はパイルを有しない編み物をパイル編み物に継ぎ合わせたのと変わるところがない。
【０００５】
この考案は、写真などの絵柄が精密に表されたタオルを提供することを目的とする。
【課題を解決するための手段】
【０００６】
上述の課題を解決するため、この考案のタオルでは、第１の面がパイル面であり、第２の面は起毛されていて昇華転写による印刷が施されている。
【考案の効果】
【０００７】
この考案のタオルは、朱子織および起毛処理された第２の面に昇華転写による印刷を施すことによって、写真などの柄が精密に表されるという効果を有する。
【図面の簡単な説明】
【０００８】
【図１】タオルを示す斜視図である。
【図２】タオル生地の製造方法を模式的に示す断面図である。
【考案を実施するための形態】
【０００９】
この考案を実施するための形態について図面に基づいて説明する。図１はタオルを示す斜視図、図２は、タオル生地の製造方法を模式的に示す断面図である。
【００１０】
タオル１の第１の面２は、パイル面である。ここでは、パイル糸がループ状に突出しているが、シャーリングによってパイル糸の尖端部をカットしたものであってもよい。
【００１１】
第１の面２の反対側になる第２の面３はパイル面になっていない。起毛処理によって滑らかな面が形成されている。そして、この第２の面３には昇華転写による印刷が施されている。
【００１２】
ついで、このタオルの製造方法の例について説明する。まず、図２に示すようなタオル生地を織製する。この例においては、経糸として綿糸を使用し、パイル糸も綿糸を使用する。第１の緯糸６としてポリエステルスパン糸１５０ｄを使用した。さらに、第２の緯糸７としてポリエステル３００ｄを使用した。
【００１３】
図２において上側が第１の面２に対応するが、パイル糸５は第１の面２のみに突出しており、いわゆる総上げパイルになっている。第２の面にはパイル面は形成されていない。
【００１４】
このタオル生地は通常の緯糸６により織られるが、緯糸６に加えて第２の糸７が使用されており、この第２の糸７が第２の面３の側に現れるような斜線朱子織になっている。したがって、このタオル生地の第２の面３は第２の糸７によって覆われているように見える。
【００１５】
このようにして、図２に示す構造のタオル生地が作られる。このタオル生地によってこの図１に示すタオル１が作られるのであるが、このタオル生地に現れている第２の糸７に対して起毛処理を行う。これによって、第２の面３は細く短い毛によって覆われ、紙の表面のような滑らかな面が形成される。
【００１６】
ついで、第２の面３に昇華転写（熱転写）による印刷を行う。第２の面３は起毛処理によって滑らかになっており、写真などの図柄が極めて精密に表される。たとえば、人物の写真の図柄であれば、髪の毛まで忠実に表現することもできる。
【００１７】
こうして、昇華転写による精密な図柄が表されたこれまで知られていなかったタオルを作ることができる。このタオル１の第１の面２はパイル面であるので、従来のタオルと同じ感触であり、タオルとして使用することができる。一方、このタオルの第２の面２は起毛処理されているので、第１の面２とは異なる感触が楽しめる上、プリントされた美しい図柄も楽しむことができる。
【産業上の利用可能性】
【００１８】
この考案のタオルは、これまでのタオルにはない精密な図柄が施されており、付加価値の高いタオルとして利用できる。アイドルの写真を印刷することによって、ブロマイドやポスターなどとは異なる新しいグッズとして商品化でき、コンサート会場などで販売するのに適している。また、観光地の風景の写真を印刷すれば、みやげ物として商品化できる。絵画なども写真のように精密に再現することができるので、展覧会に展示された絵画を印刷して美術館などで販売してもよく、さらに、スポーツ選手の肖像を印刷して試合会場で販売したり、自動車やオートバイの写真を印刷してモーターショーやレース会場用の商品とするなど、さまざまな利用が可能である。
【符号の説明】
【００１９】
１．タオル
２．第１の面
３．第２の面
４．経糸
５．パイル糸
６．第１の緯糸
７．第２の緯糸
【図１】
0003153890.tif 000003
【図２】
0003153890.tif 000004
(57)【要約】      （修正有）【課題】頭部を左右の動きに対して安定させる枕を提供する。【解決手段】枕にＶ型やそれに近い構造の溝、或いはくぼみを頚椎部から頭頂部に向けて設ける。【選択図】図１
0003153887.tif 000002
【実用新案登録請求の範囲】
【請求項１】
Ｖ型やそれに近い形状の溝やくぼみが頚椎部から頭頂部の方向に入る特徴のある枕。
【考案の詳細な説明】
【技術分野】
【０００１】本発明は、Ｖ型やそれに近い形状の溝、或いはくぼみを頚椎部から頭頂部に向かう方向に設け、それにより頭部を安定させることで快眠を促す効果のある枕に関するものである。
【背景技術】
【０００２】従来の枕は、頭の重みで枕自体が沈むことにより頭部を安定させる効果を発揮している。中には、頚椎の湾曲を考慮して、頚椎部分を厚めにし、頭部を薄めの形状にした枕もある。しかし、いずれも頭部の左右の動きに対する安定度は低い。
【先行技術文献】
【特許文献】
【特許文献１】
【非特許文献】
【非特許文献１】
【考案の概要】
【考案が解決しようとする課題】
【０００３】頭部を左右の動きに対して安定させることが課題である。
【課題を解決するための手段】
【０００４】本発明は、枕にＶ型などの溝やくぼみを頚椎部から頭頂部に向かった方向へ設けることで、課題を解決する。
【考案の効果】
【０００５】頭部が左右の動きに対して安定するため、快適な睡眠を促す効果が期待でき、更に寝つきの悪さや不眠症を解決する効果も期待できる。
【図面の簡単な説明】
【０００６】
【図１】枕の図２のＡＡ′断面図
【図２】枕を上からみた平面図
【考案を実施するための形態】
【０００７】枕の中央部に頚椎部から頭頂部に向かう方向へＶ型などの溝を設ける。頚椎部は頚椎の湾曲を考慮して溝を作らず厚めの形状としても構わないが、少なくとも頚椎上部からは頭頂に向けてＶ型などの溝を設ける。この溝により頭部が左右の動きに対して安定し、快適な睡眠が得られる。
【実施例１】
【０００８】図１は、枕の中央部を両肩で結んだ線と平行な線で切った断面図であり、１がＶ型の溝を示している。【０００９】Ｖ型の溝が頭部を捉え、頭部を左右の動きに対して安定させる。
【産業上の利用可能性】
【００１０】寝つきの悪さや不眠症に悩まされている人々に対して有効と思われる。
【符号の説明】
【００１１】１  枕のＶ型の溝
２  頚椎座部
【図１】
0003153887.tif 000003
【図２】
0003153887.tif 000004
(57)【要約】【課題】メッキなどを利用しない、メタリックな立体造型看板を作る。夜間も内部照明により昼間と同様な表現を維持する。【解決手段】一枚の透明アクリル板の裏面に、メッキなどを利用せず、シルバー風ドットシルク印刷を幾重にも重ね、陰影を作り、立体感を出す。かつ立体成型して、より立体感と強調しメタリック製に見える看板を作る。この方法により、アクリル製品板製造寸法限界まで、大型のものが出来る。又、夜間でもドット印刷の陰影の間隙を利用して光を透過し、昼間に近いメタリック感を表現した看板となる。【選択図】図３
0003153886.tif 000002
【実用新案登録請求の範囲】
【請求項１】
メッキを利用せず、シルバー風塗料と黒色塗料をドットシルク印刷して立体感を出し、かつ立体成型により、立体感をより強調したメタリックに見える立体造形看板。
【請求項２】
グラデーションドットシルク印刷を重ねる事により、光の透過量を調整して陰影を作り、夜間でも立体的に見える看板。
【考案の詳細な説明】
【技術分野】
【０００１】ドット印刷技術及び、アクリル樹脂立体成型時の版合わせ技術
【背景技術】
【０００２】ドット印刷技術が、コンピューター制御技術発展により、ドットの大きさを滑らかに、変化させる事が出来るようになり、陰影表現などが、容易に可能となった。
印刷した樹脂板を立体成型したときの、伸びを考慮し印刷版を整合させる技術が進歩した。
【考案の概要】
【考案が解決しようとする課題】
【０００３】近年、メタリックに見える看板が多く出現しているが、メッキなどを利用している。
ゆえに、製造限界寸法が、メッキ槽の寸法に制限され、大型の一体看板が作れない。
樹脂に透過性が保てる極薄の金属メッキを施すことは、付着力が乏しく、耐久性、耐候性、に不安がある。
又、メッキ溶液など、公害物質の排出など、環境問題も発生し、無公害のメタリック風製品が、これからの課題でもある。
【課題を解決するための手段】
【０００４】一枚の透明アクリル板の裏面に、メッキなどを利用せず、シルバー風ドットシルク印刷を幾重にも重ね、陰影を作り、立体感を出す。かつ立体成型して、より立体感と強調しメタリック製に見える看板を作る。
この方法により、アクリル製品板製造寸法限界まで、大型のものが出来る。
又、夜間でもドット印刷の陰影の間隙を利用して光を透過し、昼間に近いメタリック感を表現した看板となる。
【考案の効果】
【０００５】造型としての立体感に加え印刷による立体感が付加され、メッキと違い、外光環境に関わらず、メタリックに、より立体的に見える。
夜間も内部照明が乳半印刷を透過して、ドット印刷の間隙から陰影表現印刷に応じた透過量で表面に漏れ、全体が発光した立体感のあるメタリック表現看板となる。
又、金属メッキによる公害発生を減らせる。
【図面の簡単な説明】
【０００６】
【図１】完成品の姿図
【図２】断面図
【図３】断面詳細図
【考案を実施するための形態】
【０００７】以下、本考案の実施の形態を図１〜図３に基づいて説明する。
【０００８】図１のようにメッキなどを利用せず、シルバー風ドットシルク印刷を幾重にも重ね、陰影を作り、立体感を出したメタリック製に見せる。
夜間はドット印刷の間隙から陰影量に従って内部照明を透過させることによって、陰影による立体感を表現する。
また図２のようにメタリック調の立体感を強調するため、アクリル板を立体成型する。
印刷の順序としては図３のように透明アクリル板▲１▼に陰影を出す為、黒色塗料でグラデーション状にドットシルク印刷▲２▼して立体感をだし、その上にメタリック感を出す為にシルバー色塗料をドットにシルク印刷▲３▼し、最後に乳半色塗料をベタに重ね印刷▲４▼する。
【図１】
0003153886.tif 000003
【図２】
0003153886.tif 000004
【図３】
0003153886.tif 000005
(57)【要約】      （修正有）【課題】ご飯を掬う部分の裏側又は表側のどちら側でも下向きにして、テーブルの上等に置くだけでご飯を掬う部分は全くテーブルに接触しないしゃもじを提供する。【解決手段】ご飯を掬う部分２と手で握り締める柄部分３の境目９の表側５及び裏側６に予め突起部分４及び４’がそれぞれ設けられており、重量比が、突起部分４及び４’を境にして柄部分３側が、ご飯を掬う部分２側よりも大きくなるように形成しているため、ご飯を掬う部分の裏側又は表側のどちら側でも下向きにしてテーブルの上等に置くだけで、ご飯掬う部分２が全くテーブル７の面に接触しないよう、簡単に間違わずに衛生的に置く事が出来る。【選択図】図１
0003153871.tif 000002
【実用新案登録請求の範囲】
【請求項１】
ご飯を掬う部分（２）と手で握り締める柄部分（３）の境目（９）の表側（５）及び裏側（６）に予め突起部分（４）及び（４’）がそれぞれ設けられており、重量比が、突起部分（４）及び（４’）を境にして柄部分（３）側が、ご飯を掬う部分（２）側よりも大きくなるように形成された事を特徴とするしゃもじ（１）。
【考案の詳細な説明】
【技術分野】
【０００１】  本考案は、しゃもじに関し、しゃもじ立てが不必要でテーブルの上等、どこにでも更にはどちらの面にでも置けるしゃもじに関する。
【背景技術】
【０００２】  従来のしゃもじは、電子ジャーやおひつ等に入れっぱなしにしておくか、ジャー側面等に設けられたしゃもじ立てに入れるか、テーブルの上等に置いたしゃもじ入れに収納している。【０００３】  一方で、ご飯を掬う部分と手で握り締める部分の境目の裏側又は表側の一方にのみ大きく飛び出したツメ形状のような、いわゆる箸置きのようなものが一体形成されたしゃもじが提案されている。
【先行技術文献】
【特許文献】
【０００４】
【特許文献１】実用新案登録出願２００７年第１２６７号公報
【特許文献２】実用新案登録出願２００７年第１９０１８３号公報
【０００５】  しかしながら、これら特許文献１及び２のようなしゃもじは、ご飯を掬う部分と手で握り締める柄部分の境目の裏側又は表側の一方のみしか突起部分が設けられていないため、ご飯を掬う作業時や、調理の準備の際のような忙しい時に、突起部分の有る側をいちいち確認してテーブルの上等に置かないといけないため間違えやすい欠点があった。
【問題点を解決するための手段】
【０００６】  上記問題点を解決するために本考案はご飯を掬う部分（２）と手で握り締める柄部分（３）の境目（９）の表側（５）及び裏側（６）に予め突起部分（４）及び（４’）がそれぞれ設けられており、重量比が、突起部分（４）及び（４’）を境にして柄部分（３）側が、ご飯を掬う部分（２）側よりも大きくなるように形成しておく。
本考案は以上のようなしゃもじである。
【考案の効果】
【０００７】  本考案のしゃもじは、以上のような構成であるため、ご飯を掬う部分の裏側又は表側のどちら側でも下向きにして、テーブルの上等に置くだけでご飯の掬う部分は全く、そして柄部分は柄の表側接地部分又は裏側接地部分と突起部分の２点のみしかテーブルに接触しないため、ご飯を掬う部分が空中に浮いた状態となり、衛生的にも優れたものとなり、更には突起部分の有る側をいちいち確認してテーブルの上等に置く必要のない優れたものとなる。
【図面の簡単な説明】
【０００８】
【図１】本考案の一実施側のうち表側（５）を上面にした状態を示す平面図である。
【図２】本考案の一実施側のうち裏側（６）を上面にした状態を示す平面図である。
【図３】本考案の一実施側のうち裏側（６）を上面にした状態を示す斜視図である。
【考案を実施するための形態】
【０００９】  本考案におけるしゃもじとは、樹脂製、金属製、木製等で製造出来るが、大量に生産するためには樹脂製が好ましい。
なお、ご飯を掬う部分、柄部分更には境目に設けられた突起部分のデザイン、大きさ等は特に限定される事はない。
突起部分は、表側、裏側に等距離、リブ形状として突起させて形成しても良いが、ご飯を掬う部分の曲がり方を考慮して、テーブルの上等に置いた時に確実にご飯を掬う部分が空中に浮くように形成されるのが好ましい。
又、突起部分の形状をリブ形状ではなく板バネのようにしても良い。
もちろんご飯を掬う部分に、ご飯がひっつきにくくするためのイボ形状やエンボス形状等が加工形成されていても良く、樹脂製であればフッ素や抗菌剤入りの材料から製造されるのが好ましい。
以下、実施例と図に基づき説明する。
【実施例】
【００１０】  以下、本考案の一実施例を図１、図２及び図３で説明されるがこれによって本考案はなんら限定されるものではない。【００１１】  図１は本考案の一実施例を示し、ご飯を掬う部分（２）と手で握り締める柄部分（３）の境目（９）の裏側（５）に予め突起部分（４）が、一方裏側（６）には予め突起部分（４’）をそれぞれ柄部分（３）より突起させて形成しておく。  その際突起部分（４）又は（４’）を境にして、柄部分（３）がご飯を掬う部分（２）側よりも、重量比として大きくなるように形成する。
このようにして構成されたしゃもじ（１）をテーブル（７）面に突起部分（４’）及び柄の裏側接地部分（８’）が点で接するように置くことでご飯を掬う部分（２）がテーブル（７）の面に接することなく空中に浮いたまま置くことが出来る。【００１２】  図２も本考案の一実施例を示し、図１で示したうち、テーブル（７）面に突起部分（４）及び柄の表側接地部分（８）が点で接するように置いた状態を示した図である。【００１３】  図３は本考案の一実施例のうち図２のものを斜視方向から見た図を示したものである。
【産業上の利用の可能性】
【００１４】  しゃもじ立てやしゃもじを置くための皿や茶碗等が無くても、しゃもじ単体でテーブルの上等に、突起部分の有る側をいちいち確認して間違って置くことがなく、衛生的にしゃもじを置く事が出来る。
【符号の説明】
【００１５】１  しゃもじ      ２  ご飯を掬う部分      ３  柄部分
４，  ４’  突起部分      ５  表側      ６  裏側      ７  テーブル
８  柄の表側接地部分      ８’  柄の裏側接地部分      ９  境目
【図１】
0003153871.tif 000003
【図２】
0003153871.tif 000004
【図３】
0003153871.tif 000005
(57)【要約】      （修正有）【課題】細部の掃除に応じた掃除用品を手が届きやすい身近な場所に常備することで、バイ菌の溜まりやすい狭くて細かい場所の衛生管理に貢献できる小型で使い勝手の良い細部専用の掃除用品を提供する。【解決手段】柄１の中間には親指の腹が当たる突起２があり、さらにその先端方向に刷毛状の樹脂プラスチック起毛部分３が約４５度に反折して、持ち手と作用点に角度を持たせることで狭い部分の掃除作業のし易さを実現する。【選択図】図１
0003153879.tif 000002
【実用新案登録請求の範囲】
【請求項１】
掃除器具において、狭い溝や小さな隅部用の小型掃除用器具として、持ち手である柄の延長に放射状に樹脂プラスチック起毛を植え付けた円弧状の刷毛部の最先端が４５度に反折していることを特徴とする樹脂プラスチック製の家庭用小型掃除用品。
【請求項２】
請求項１の樹脂プラスチック製掃除用品の柄に、使用の際に親指の腹が当たる突起を表裏両面につけることで握り易くすることを特徴とする樹脂プラスチック製の家庭用小型掃除用品。
【考案の詳細な説明】
【考案の詳細な説明】
【技術分野】
【０００１】  本考案は、水回りや食器類の狭い溝や細かな入り隅部を衛生的に保つための生活用品である。
【背景技術】
【０００２】  周知のとおり、従来から水回りの衛生のために目的に応じた様々な形状をした掃除用品があるものの、特に狭い溝や細かな入り隅部分においては、手頃な専用品がないために爪楊枝や歯ブラシ等を代用しているのが実情である。
【考案の開示】
【考案が解決しようとする課題】
【０００３】  食器や水回りを衛生的に保つ上において、狭い溝や小さな入り隅部分に雑菌が溜まりやすいことから特に掃除には注意しなければならない。【０００４】  そこで、本考案は、従来からある掃除用品では掃除しきれない細かな部分の専用掃除器具としての機能を備えた、使い勝手の良い形状を特徴とする小型日用生活品を考案する。
【課題を解決するための手段】
【０００５】  本考案が上記課題を解決するにあたり、素材が樹脂プラスチック製の柄と、柄から伸びた先端に刷毛状の樹脂プラスチック起毛を持った全体の長さが１８センチメートル前後の棒状の形を成す。【０００６】  柄の中間点１０センチメートルには、握る手の親指腹が当たる突起部分を作る。【０００７】  また、全体長さのうちで刷毛状の樹脂プラスチック起毛を持った先端部は長さが３センチメートル前後の円弧状で柄に対して約４５度で反折させる。【０００８】  そして、反折させた先端には、放射状に樹脂プラスチック起毛を植え付けることとする。
【考案の効果】
【０００９】  以上、本考案は、親指の腹が当たる突起を持った握りやすい柄をそなえつつも、先端の刷毛状樹脂プラスチック起毛を約４５度に反折するのは、力点である手と作用点である先端の刷毛状樹脂プラスチック起毛の位置を一直線上でなく、角度を持たせる関係を為すことで狭い溝や入隅の掃除のために使い易くすることが出来る。【００１０】  また、先端の放射状刷毛状樹脂プラスチック起毛は、本体から起毛を突出することで本体よりも先方の掃除が一層簡便になる。
【考案実施の形態】
【００１１】  本考案の実施形態について具体的に図面に基づいて説明する。
【００１２】  図１は、本考案の横方向の全体像を示す図で、柄（１）の中間には親指の腹が当たる突起（２）があり、さらにその先端方向に刷毛状の樹脂プラスチック起毛部分（３）が約４５度に反折して、持ち手と作用点に角度を持たせることで狭い部分の掃除作業のし易さを実現できることを示している。
【００１３】  図２は、面方向の全体像を示す図であり、樹脂プラスチック起毛を放射状に植え（４）本体より外へ突出させることで、本体が掃除面周囲に衝突してもより隅々まで掃除がし易くなる。
【図面の簡単な説明】
【００１４】
【図１】  本考案の横方向の全体像を示す図である。
【００１５】
【図２】  本考案の作用点である先端部の刷毛状樹脂プラスチック起毛の状況を示す面方向の全体像を示す図である。
【符号の説明】
【００１６】  １  柄
２  親指が掛かる突起
３  反折部
４  放射状樹脂プラスチック起毛
【図１】
0003153879.tif 000003
【図２】
0003153879.tif 000004
(57)【要約】      （修正有）【課題】自転車走行中の道路の状況等によって起こる強い衝撃を吸収し人体に及ぼす苦痛等を取り除き、手軽で簡単に取り付けが出来、従来の自転車に自由に取替えも出来るサドル取り付用パイプを提供する。【解決手段】自転車走行時の強い衝撃を取り除く為、車体とサドルを連結しているパイプに２本の働きの異なるバネを使用して、このパイプに装着し、このパイプを自転車の車体フレームに上下に動く様に取り付け衝撃を吸収させる。【選択図】図１
0003153875.tif 000002
【実用新案登録請求の範囲】
【請求項１】
自転車走行中に人体に及ぼす衝撃を取り除く為に車体とサドルを連結しているパイプに、２つの働きの異なるバネを使用して、車体とサドルとを切り離し、サドルが宙に浮く様な仕様を連結パイプに装着してこの衝撃の大小を取り除き、人体、特に尻部や腰にかかる負担を取り除く自転車サドル衝撃吸収軸。
【考案の詳細な説明】
【技術分野】
【０００１】本考案は、自転車走行中に起因する人体に与えるさまざまの衝撃を吸収する為の、自転車サドル取り付軸に関するものである。
【背景技術】
【０００２】従来の自転車のサドルは、車体とサドルを連結するパイプは、車体側を固定し、サドル側も固定されている為、走行時の道路状況等による衝撃は、人体に直接伝わり尻部や腰部に強い衝撃を受けている。
【考案の開示】
【考案が解決しようとす課題】
【０００３】この人体に及ぼす強い衝撃を、取り除く為に車体とサドルを連結しているパイプを改良し、この衝撃を吸収し、取り除く様にする事。
【課題を解決する為の手段】
【０００４】自転車と車体とサドルを連結しているパイプに、２つの働きの異なるバネを使用して、車体側を固定させてサドル側を上下にスライド出来る様にし、下からの強い衝撃を吸収する事で解決した。
【考案実施の形態】
【０００５】図３の１のパイプに、図４の１−１の様にスライド用の為の溝を切り込み、下部に図４の１−２の穴を空ける。
このパイプ内側に、図３の２の引き用バネを差入れ図３の３のピンでこのバネの下部の穴に上記の図４の１−２の穴へピンを差入れバネを止める。この内側に装着したバネの上部を図４の１−１の溝に合わせ、図３の８の金具の図３の８−１の穴に図３の４のピンを通してネジ止めする。
このパイプを、車体のフレームに差入れる。すると、車体フレームの上部に図３の１のパイプの上部が出る形となり、そのパイプに図３の５の座金を差入れ、その上に図３の６のバネを差入れ、このバネの上に図３の７の座金を差入れる。
その後、車体のフレームに取り付けた図３の８の取付金具の取り付け用穴、図３の８−２及び８−３の穴に図３の９、１０のネジで車体に固定させる。
最後に図３の１のパイプ上部先端にサドルを取り付け固定する。
【考案の効果】
【０００６】自転車走行時の強い衝撃が吸収される。
この為、尻部や腰部にかかっている衝撃が削減されスムーズなクッションを得る事が出来る。
痔疾の方や腰痛で自転車に乗れない人も楽に乗れる様になる。
走行中サドル部分と尻部は常に密着される為、尻部の皮膚等も痛める事がなくなり長時間の走行も苦痛なく使用する事が出来る。
この連結パイプは手軽で簡単に取り付けられ、自転車を交換しても付け替え、使用出来る。
又、サドル盗難の防止にも効果がある。
２本の異なるバネを使用する事で小さな衝撃から大きな衝撃迄吸収出来る。
【図面の簡単な説明】
【０００７】
【図１】本考案の各部品を装着したパイプ軸の図面
【図２】本考案の完成したパイプにサドルを取り付け、自転車本体に着装した図面
【図３】全総合部品図
【図４】連結パイプ軸にスライド用の溝、及び内装バネの止め穴を加工した図
【符号の説明】
【０００９】１………………連結パイプ軸
１−１…………（スライド用切込溝）
１−２…………（３のピンの差入用穴）
２………………引き用バネ
３………………下部バネ止め用ピン
４………………バネ止め用ピンネジ
５………………下部座金
６………………外側用バネ
７………………上部座金
８………………車体取付用金具
８−１…………（４のネジの通し穴）
８−２…………（８の取付ネジ穴）
８−３…………（８の取付ネジ穴）
９………………車体取付用金具止めネジ
１０……………車体取付用金具止めネジ
【図１】
0003153875.tif 000003
【図２】
0003153875.tif 000004
【図３】
0003153875.tif 000005
【図４】
0003153875.tif 000006
(57)【要約】【課題】従来にはない趣向性に富み、かつ、容易にキャッチから抜け落ちないピアスポストを備えた装身具用ピアスを提供する。【解決手段】シリコン製キャッチ５に挿入されるピアスポスト４を、ストレートとすることなく、ピアスポスト４の頭部を拡径頭部９とするとともに、シリコン製キャッチ５の外周に、金属バネ６を嵌着した構造とする。これに加えて、さらにシリコン製キャッチ５をさまざまな色に着色して趣向性の高いものする。【選択図】図1
0003153870.tif 000002
【実用新案登録請求の範囲】
【請求項１】
一端に、宝石を固定するための石枠、他端に、シリコン製キャッチに挿通される拡径頭部を形成したピアスポストと、該ピアスポストを挿入するための挿通孔を有し、外周に金属バネを嵌着させたシリコン製キャッチとから成る装身具用ピアス。
【請求項２】
前記シリコン製キャッチを着色したことを特徴とする請求項１に記載の装身具用ピアス。
【考案の詳細な説明】
【技術分野】
【０００１】
本考案は、ピアス用シリコン製キャッチ及びピアスポストを改良した装身具用ピアスに関するものである。
【背景技術】
【０００２】
従来のピアス用シリコン製キャッチを図７に示す。このキャッチ１は、無色で趣向に乏しかった。また、このキャッチ１は、シリコンゴム製で、単に中心部に挿通孔２が形成されているのみであるため、そのキャッチが劣化したり、ネイルアートで使用する除光液が付着すると、直ぐにピアスポストからシリコン製キャッチが抜けてしまい、シリコン製キャッチを紛失したり、高価な宝石を無くすことが多かった。
【０００３】
さらに、従来のポストは、例えば直径が０．８ｍｍφ程度で径が極端に細くかつ全体的に太さが同一で、いわゆるストレートに形成されていたため、シリコン製キャッチ１がポストから抜けやすかった。
【先行技術文献】
【特許文献】
【０００４】
【特許文献１】特開２００１−１７２１２公報
【考案の概要】
【考案が解決しようとする課題】
【０００５】
しかしながら、従来の技術には概略以下のような難点がある。
・  ポスト全体的がストレートに形成されているために、シリコンキャッチから抜けやすかった。
・  従来技術のシリコン製キャッチは、無色のままであり趣向に乏しかった。
【課題を解決するための手段】
【０００６】
本考案は、上記のような課題を解決するためになされたもので、シリコン製キャッチに挿入されるピアスポストをストレートとすることなく、ピアスポストの頭部を拡径頭部とするとともに、シリコン製キャッチの外周に金属バネを嵌着したことを特徴とするものである。さらにシリコン製キャッチを着色して趣向のあるものとしたことを特徴とするものである。
【考案の効果】
【０００７】
本考案は、上記のように構成したので、以下のような効果を奏する。
・  本考案におけるピアスポストには、一端に拡径頭部が形成されているので、シリコン製キャッチから抜けにくく、しかも当該キャッチの外周に金属バネが嵌着させたので、一層抜けにくい効果がある。
・  シリコン製キャッチは、無色ではなく様々な着色を施すことによりきわめて趣向に富んだ装身具となる。
【図面の簡単な説明】
【０００８】
【図１】本考案の一実施例を示し、（A）は、シリコン製キャッチ及とピアスポストを組み合わせてピアスを構成した状態の正面図、（B）は、上記（A）の左側面図である。
【図２】従来のピアスポストを示し、（A）は、その正面図、（B）は、同（A）の左側面図である。
【図３】本考案に使用するピアスポストを示し、（A）は、その正面図、（B）は、その右側面図、（C）は、その左側面図である。
【図４】本考案に使用する金属バネ付シリコンキャッチの組立図を示し、（A）は、その正面図、（B）は、断面図、（（C）は、側面図である。
【図５】本考案の装身具用ピアスに使用する金属バネを示し、（A）は、その正面図、（B）は、その側面図である。
【図６】本考案のシリコンキャッチのみを示し、（A）は、その正面図、（B）は、その側面図である。
【図７】従来のピアス用シリコン製キャッチを示し、（A）は、その側面図（B）は、その正面図正面図、である。
【実施例】
【０００９】
以下、本考案の実施例を、図を参照して詳細に説明する。
図1は、本考案の装身具用ピアスの構成を示す組立図である。
図において、３は装身具用ピアス全体を示す。この装身具用ピアス３は、ピアスポスト４と、このピアスポスト４に挿通されるシリコン製キャッチ５と、このキャッチ６の外周に嵌着される金属バネ６とから成る。この金属バネ６の一端には間欠部６aが形成されている。
【００１０】
上記ピアスポスト４の一端には石枠７が形成され、この石枠７の爪部７aにより宝石８が固定される構造となっている。
一方、上記ピアスポスト４の他端には押し潰した扁平の拡径頭部９が形成され、例えば上記ピアスポスト４の中心部近傍の直径をｄ１、拡径頭部９の直径をｄ２とすると、ｄ１＝０．８ｍｍφ、ｄ２＝０．８５ｍｍφ程度となっている。
【００１１】
上記シリコン製キャッチ５の中心部の外周には溝１０が形成され、この溝１０に金属バネ６が嵌着される構成となっている。また、上記シリコン用キャッチ５には挿通孔１１が形成されており、この挿通孔１１に本考案で改良したピアスポスト４が挿通されるようになっている。また、シリコン製キャッチ５は、シリコン製であるため、着色が自由でき趣向のあるものとなる。
【００１２】
上記のように構成の装身具用ピアスにおいて、被装着者は宝石８を備えたピアス製キャッチ４を耳たぶの穴にピアスポスト４を挿通した後、耳たぶの裏側に、予め金属バネを装着したシリコン用キャッチ５を宛がう。
次いで、上記キャッチ５の中心部の挿通孔１１に、シリコンゴム及び金属バネ６の弾性に抗してピアスポスト４の拡大頭部９を押し込む。
これによりピアスポスト４がシリコン用キャッチ５から容易に抜け落ちにくくなり、高価な装身具の紛失等を防ぐことができる。
【符号の説明】
【００１３】
１    キャッチ
２    挿通孔
３    装身具用ピアス
４    ピアスポスト
５    シリコン用キャッチ
６    金属バネ
７    石枠
７a   爪部
８    宝石
９    拡径頭部
１０  溝
１１  挿通孔
【図１】
0003153870.tif 000003
【図２】
0003153870.tif 000004
【図３】
0003153870.tif 000005
【図４】
0003153870.tif 000006
【図５】
0003153870.tif 000007
【図６】
0003153870.tif 000008
【図７】
0003153870.tif 000009
(57)【要約】      （修正有）【課題】透明な容器を使い、カブトムシの幼虫からさなぎ、成虫になる様子を鮮明に観察できるようにした観察容器を提供する。【解決手段】透明な観察容器ｂの内部に障害物ｃを置くことにより、光を嫌うカブトムシの幼虫が暗い中心部に蛹室ｅを作ることが出来ず、透明な容器の外側で蛹室ｅを作る。さらに障害物をセットした容器にカブトムシの幼虫ｆを入れ、蛹室ｅができる約１０日間ぐらい暗室などに置く。こうすることにより、容器の外部高い確率でカブトムシの幼虫からさなぎ、成虫までの成長が鮮明に観察できるようになる。【選択図】図１
0003153863.tif 000002
【実用新案登録請求の範囲】
【請求項１】
透明な容器の内部に障害物を設置し、カブトムシが幼虫から成虫になるまでの観察ができる観察容器。
【請求項２】
容器の大きさは、障害物の大きさを変えることによって容器の大小は問わない。
【考案の詳細な説明】
【技術分野】
【０００１】
本考案は、カブトムシの鮮明な観察ができるカブトムシ観察容器に関するものである。
【背景技術】
【０００２】
従来より、カブトムシ幼虫を幼虫からさなぎ、成虫へと観察するための透明な円筒状の飼育容器がある。その中に幼虫を2匹入れることで蛹室が外から見えて成長過程が観察できる。
【特許文献１】登録実用新案第３０７４０４１号
【考案の開示】
【考案が解決しようとする課題】
【０００３】
ところが、前記の観察容器では、カブトムシの幼虫は暗いとこにようしつ蛹室（さなぎの間、住む部屋）を作る性質があることから、円筒状の中心にようしつ蛹室を作ってしまう可能性が高い。すると、外側から観察することは難しい。また見えても観察できるようしつ蛹室の見える範囲は狭くなる。さらに、カブトムシの雄と雌の２匹入れることで各幼虫の成長過程を観察できるとあるが、狭い空間に２匹入れてしまうとようしつ蛹室の壁面の強度が弱まり、壊れやすく奇形や成虫にかえらない恐れも出てくる。さらに、幼虫の大きさや容器の大きさで蛹室がうまく見えなかったり、2匹のカブトムシの幼虫が奇形になったりする。
【課題を解決するための手段】
【０００４】
そこで、本発明は観察容器の内部に障害物を置き、幼虫が容器周辺にようしつ蛹室を作り鮮明な観察を可能にすることを目的とする。
【考案の効果】
【０００５】
本考案の観察容器は、カブトムシの幼虫から成虫までの過程を観察するために透明な円筒状の観察容器の内部に障害物を置く。また1つの観察ケースに１匹ずつ入れる。従って、高い確率で幼虫から成虫までの成長が観察でき、また高い確率で成虫まで成長する。さらに透明な円筒状の観察容器の大きさが変わっても、内部の障害物の大きさを変えることにより、どのような大きさの容器でも高い確率で成長過程を観察することが可能となる。また成虫の大きさによって障害物の大きさを変えることで、観察容器と障害物の幅を調節し、どのような幼虫の大きさでも観察することが可能となる。
【図面の簡単な説明】
【０００６】
【図１】本発明の斜視図
【図２】同じく縦断面図
【図３】同じく横断面図
【図４】実施例を示すカブトムシ幼虫の写真
【図５】同じく実施例を示すカブトムシ幼虫のさなぎの写真
【考案を実施するための形態】
【０００７】
本考案では、幼虫から成虫になる成長過程を観察するに当たり、例えばガラスビンで直径１０cm、容積９５０ccのものを用いて、ビンの中にエサマット（カブトムシの幼虫のエサとなる有機物の堆肥）と障害物、ここではクヌギの木の直径６cmで長さ１０cmの木を縦に入れ、ビンと障害物との間を３cm〜４cmにする。そして外から蛹室の見える範囲が広くするために幼虫が蛹室を作るまで暗室に入れておく。
以下、本考案の実施例を図面と写真に基づいて具体的に説明する。
【実施例１】
【０００８】
図４に示す実施例は、透明な直径１０cm、容積９５０ccのビンを用いてカブトムシの観察容器を作ったものである。中には障害物として直径６cm、高さ１０cmのクヌギの木を入れ、ビンと障害物の間を３cm〜４cmに保ったままエサマットを６分目まで入れた。その中に幼虫を自ら潜らせようしつ蛹室をつくった状態である。
【実施例２】
【０００９】
図５に示す実施例は、透明な直径１３cm、容積１１００ccのビンを用いてカブトムシの観察容器を作ったものである。中には障害物として直径９cm、高さ１０cmのクヌギの木を入れ、ビンと障害物の間を３cm〜４cmに保ったままエサマットを６分目まで入れた。その中に幼虫を自ら潜らせようしつ蛹室をつくった状態である。このように、ビンの大きさが変わっても中に入れる障害物の大きさを変えることで、どのような大きさの観察容器でも観察が可能となる。
【符号の説明】
【００１０】
a …観察容器のふた
b …観察容器
c …障害物
d …幼虫えさマット（有機質の堆肥）
e …ようしつ蛹室
f …カブトムシ幼虫
【図１】
0003153863.tif 000003
【図２】
0003153863.tif 000004
【図３】
0003153863.tif 000005
【図４】
0003153863.tif 000006
【図５】
0003153863.tif 000007
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
透明な容器の内部に障害物を設置し、カブトムシが幼虫から成虫になるまでの観察ができ観察容器
【請求項２】
前記容器の大きさは、前記障害物の大きさを調整することによって選択可能である請求項１に記載の観察容器。
(57)【要約】      （修正有）【課題】人員配置の非固定化による席替えなどの移動を円滑化できることによる労働的負担を解決させる業務デスクを提供する。【解決手段】机に向かって複数人が対面して座ることのできるオフィス業務用デスクにおいて、机本体の天板１略中央線上に電源コード、ＬＡＮケーブル等の配線ケーブルを挿入する開口部７を配設し、開口部７の下部には配線ケーブル収納用ガイド溝を配設し、前記開口部７から挿入される前記配線ケーブルを案内することを特徴とする。分割製作を行い、各１セットずつ現場にて連結作業を行えるような設計になっている。机上のパソコンコード等の煩雑化を防ぐことを第一の目的とし、従来はデスクに対する人員配置数が限られてしまい、人員が増加した際、デスクそのものの配置を変えるなどの労働的負担や、デスクを購入し直すなどの経済的負担、配置のための時間的負担を解決するものである。【選択図】図１
0003153539.tif 000002
【実用新案登録請求の範囲】
【請求項１】
机に向かって複数人が対面して座ることのできるオフィス業務用デスクにおいて、机本体の天板略中央線上に電源コード、LANケーブル等の配線ケーブルを挿入する開口部を配設し、前記開口部の下部には配線ケーブル収納用ガイド溝を配設し、前記配線ケーブル前記開口部から挿入される前記配線ケーブルを案内することを特徴とする、オフィス用業務用デスク。
【請求項２】
机本体の脚部は机本体天板の略中央線下部に配設し、配線ケーブル収納用ガイド溝は前記机本体の脚部に配設したことを特徴とする請求項１記載のオフィス用業務デスク。
【考案の詳細な説明】
【技術分野】
【０００１】
本考案は、オフィス業務用デスクに書類収納部、及びコード収納部を設置した業務用デスク。
【背景技術】
【０００２】
業務用机上で、パソコン等のコードが煩雑になることや、デスクに配置される人数が確定し融通がきかないことや、これらを解決するフリーアドレスデスクで、収納性も兼ね備えたデスクの提供が要求されている。
【考案の開示】
【考案が解決しようとする課題】
【０００３】
机上のパソコンコード等の煩雑化を防ぐことを第一の目的とし、従来はデスクに対する人員配置数が限られてしまい、人員が増加した際、デスクそのものの配置を変えるなどの労働的負担や、デスクを購入しなおすなどの経済的負担、配置のための時間的負担を解決するものである。
【課題を解決するための手段】
【０００４】
机に向かって複数人が対面して座ることのできるオフィス業務用デスクにおいて、机本体の天板略中央線上に電源コード、LANケーブル等の配線ケーブルを挿入する開口部を配設し、前記開口部の下部には配線ケーブル収納用ガイド溝を配設し、前記配線ケーブル前記開口部から挿入される前記配線ケーブルを案内することを特徴とする、オフィス用業務用デスク。机本体の脚部は机本体天板の略中央線下部に配設し、配線ケーブル収納用ガイド溝は前記机本体の脚部に配設したことを特徴とする請求項１記載のオフィス用業務デスク。
【考案の効果】
【０００５】
パソコンコード等を机上中央孔から下部へつたわせ、ガイド溝にそって収納することにより、コード等による机上の煩雑化を防止させる。
【０００６】
人員配置の非固定化による席替えなどの移動を円滑化できることによる労働的負担を解決させる。
【０００７】
デスク買い替えなどが不要なため経済的問題点を解決させる。
【０００８】
本考案はシンプルな設計であるがゆえに、着席人数を容易に増減させることができる。
【考案を実施するための最良の形態】
【０００９】
本考案は、机に向かって複数人が対面して座ることのできるオフィス業務用デスクにおいて、前記デスクの略中央に配設された中央孔を、挟むようにデスクに向かい合って椅子を配置し、各自机下部略中央に配設された中央孔より手前の本棚には書類を立てて収納する。机下部の書類収納棚より手前のスペースにキャビネットも自由に配置可能。本考案デスク上はパソコンなどを置き、コード等があるものについては、コード等を机上略中央に配設された中央孔から下へつたわせ、向かって机の下部略中央下部に配設されたガイド溝の中に這わせる。席替えの際は、本考案デスク自体を動かすのではなく、人・パソコン等備品・書類などの所有物を動かすのみとなるので、デスク自体を動かす労力や時間などは軽減される。
【００１０】
オフィス用デスク8は、天板1と天板2を支える脚部6とからなり、天板1の中央線上には天板の端部から反対端部に沿って配線ケーブル挿入用の開口部7があけられている。
【００１１】
また、開口部7の下部には、配線ケーブル収納用ガイド用溝らがデスク８の端から端へと伸びている。脚部は中央のみ連結させて配設。
【実施例】
【００１２】
図1は、本考案を上から見た図である
図2は、本考案を横から見た図である
図3は、本考案の断面図である
【産業上の利用可能性】
【００１３】
従来のオフィススペースや学校において、デザイン性・機能性に優れた商品として利用される可能性が高い。
【図面の簡単な説明】
【００１４】
【図１】机に向かって座っている状態を上から見た図
【図２】机を側面から見た図
【図３】机の断面図
【符号の説明】
【００１５】
1→天板
2→補強板
3→方立
4→固定棚
5→配線ケーブル収納用ガイド溝
6→脚部
7→開口部
8→デスク
【図１】
0003153539.tif 000003
【図２】
0003153539.tif 000004
【図３】
0003153539.tif 000005
(57)【要約】【課題】  狭い所、取りずらい塵、ホコリを寄せて掃くために、穂先の平面部の先端の形状を変えてゴミ等を掃きやすく、集めやすいように、更にゴミをチリトリに入れ易い箒を提供する。【解決手段】  柄（１）の頸部（２）に折曲した肩（３）を有する剛毛又は合成樹脂製毛（４）の箒を設け、図１のような中心より一方向に少し寄った箇所から左右に角度を設けて先端部を尖らせ、階段のすみ、タイルのめじ、アスファルトの道、玄関、ベランダ等の端（角）を難なく砂、土をはきだせるように、又、ゴミ等を掃きやすく、集めやすいように角度を設けた構造にし、狭いところ石ころ等の上  砂の中  石ころ等の間のごみ取り、細い溝、植木・鉢植え等の株間のごみ取り等、狭い部分等の掃除を容易にできる事を特徴とする箒。【選択図】図１
0003153531.tif 000002
【実用新案登録請求の範囲】
【請求項１】
柄（１）の頸部（２）に折曲した肩（３）を有する剛毛又は合成樹脂製毛（４）で構成され、階段のすみ、タイルのめじ、アスファルトの道、玄関、ベランダ等の端（角）を難なく砂、土をはきだせるように箒を設け、その掃面の中心より左右の一方向によった部分を先端部とし、その先端部より左右に角度を設け、先端部を尖らせた事を特徴とする箒。
【考案の詳細な説明】
【技術分野】
【０００１】  本考案は、床面、階段、めじ、アスファルトの道等を清掃するのに用いる箒で、箒の掃き面に角度を付け、この角度を使うことにより、ごみを掃き集めやすく、又ごみをちりとりにも入れやすくした、床や庭などを掃き掃除するための箒に関するものである。
【背景技術】
【０００２】  従来、箒の掃き部は平面であり、広範囲の地面などを掃くための長柄ほうきとしては、一般に、竹ぼうきが用いられている。竹ぼうきは、周知のように、多数本の竹の小枝を束ねて丸竹の柄の先端に取り付けた構造である。ここで多数本の竹の小枝は、円錐状に拡がった状態で纏められ、基端部分で竹柄に緊締固着されている。しかし、竹の小枝には小さな節が多数あるため、扱い難く折れ易い欠点がある。又、床や庭などを掃き掃除するための箒としては、従来より、椰子の葉脈などの植物繊維や合成樹脂繊維等からなる多数の繊維を扁平に束ね、穂先の幅が広い略台形の形に形成し、該穂体の基端部にカバーを介して取り付けられた柄とからなるものが知られている。
【考案の開示】
【考案の解決しようとする課題】
【０００３】    従来は次ぎのような欠点があった。
掃部が平面なため、箒でごみを掃き集めるのに手間がかかり、更に掃く時塵が剛毛又は、合成樹脂製毛の両側から逃げるので、何度も掃かなければならなかった、又、掃き集めたごみをチリトリに入れる際、ごみを逃してしまう等、又、階段のすみ、タイルのめじ、アスファルトの道、玄関、ベランダ等の端（角）を難なく砂、土を掃き出せるように、更に狭いところ石ころ等の上、砂の中、石ころ等の間のごみ取り細い溝植木・鉢植え等の株間のごみ取り等、狭い部分等の掃除が大変である等の問題があった。本考案は、これらの欠点を解消することを目的とするものである。
【問題を解決するための手段】
【０００４】  本考案は、上記目的を達成するために、柄（１）の頸部（２）に折曲した肩（３）を有する剛毛（４）を設けた構成からなり、階段のすみ、タイルのめじ、アスファルトの道、玄関、ベランダ等の端（角）を難なく砂、土、を掃き出せ、狭い所、取りずらい塵、ホコリを寄せて掃き出せるように、箒は、合成樹脂製毛または天然の繊維の適量を揃え、かつ偏平にして結束して穂先を構成してなる箒において、前記穂先の先端部箒のはき面を図１のような中心部より一方向に少し寄せた箇所に左右に角度を設けて尖らせ、ゴミ等を掃きやすく、集めやすい角度をもたせた構造にしたことにより問題点を解決している。
【考案の効果】
【０００５】  上述のように、本考案の箒は、先端部が平坦でなく、左右に角度を持っているので、狭いところ、取りづらい塵等、ゴミを逃さず掃き集めやすく、更にチリトリにも収納しやすいので、清掃作業を早く終える事ができる。その結果、早く掃ける。また、早く掃けるのでほこりの舞いあがりが少なくてすむ等、塵取りに掃きとるのに楽になる効果が期待できる。
【考案を実施するための最良の形態】
【０００６】  本考案の箒は、上記のように、繊維を揃えて偏平に構成された穂先の先端を平坦でなく、その中心より一方向によった箇所の中心の先端部を尖らせ、その尖った先端部から左右に角度を設けた構造、図１にしたので、階段のすみ、タイルのめじ、アスファルトの道、ベランダ等の端（角）を難なく、狭いところ、石ころ等の上、砂の中、石ころ等の間のごみ取り、細い溝、植木・鉢植え等の株間のごみ取り等にも即座に対応でき、その他、用途に応じて極めて便利な箒である。
【図面の簡単な説明】
【０００７】
【図１】本考案の平面図
【図２】本考案の右側面図
【符号の説明】
【０００８】  １  柄
２  頚部
３  折曲した肩部
４  剛毛又は合成樹脂製毛
【図１】
0003153531.tif 000003
【図２】
0003153531.tif 000004
(57)【要約】【課題】自宅、又は外出先で、ロングブーツを直立状態に保持するクリップ付きの伸縮自在の指示棒を提供する。【解決手段】携帯できる伸縮自在の指示棒を設け、該伸縮自在の指示棒の頭部のカバーを取り外し、逆Ｌ型形状のクリップの上部平面部に穴部を設ける、指示棒の頭部に逆Ｌ型形状のクリップの穴部を挿入し、カバーを被せ固定したロングブーツ倒れ防止用具であり、自宅でも、又外出時でもバッグにいれて携帯できるよう小型化して問題点を解決している携帯用ブーツバンドは、外出先でロングブーツを脱いだ時でも奇麗にロングブーツを直立に保持でき、皺にならないことを特徴とするロングブーツ倒れ防止用具。【選択図】図２
0003153532.tif 000002
【実用新案登録請求の範囲】
【請求項１】
ロングブーツを自宅又は外出先で脱いだ時に、必要時に伸縮自在できる指示棒を設け、該指示棒の頭部のカバーを取り、逆Ｌ型形状のクリップの上部平面部に穴部と携帯ストラップ用の小穴の開けたクリップの穴部を指示棒のカバーを取った箇所にはめ込み固定し、左右のロングブーツの一方の内側に伸縮自在の指示棒を伸ばし、同時に他方のロングブーツにそのクリップを差し込み、左右のロングブーツを固定し、倒れないことを特徴とする携帯用の伸縮自在の倒れ防止用具。
【請求項２】
携帯用の伸縮自在の指示棒に逆Ｌ型のクリップを固着し．左右のロングブーツを揃え逆Ｌ型クリップで留めて直立させたことを特徴とする請求項１記載のロングブーツ倒れ防止用具。
【請求項３】
逆Ｌ型のクリップ上部平面部にストラップ取付け専用の穴を設けた請求項１に記載の携帯用の伸縮自在の倒れ防止用具。
【考案の詳細な説明】
【技術分野】
【０００１】  本考案は、ロングブーツを自宅、又は外出先で脱いだ時に、倒れずに直立状態にするロングブーツ倒れ防止用具に関する。
【背景技術】
【０００２】  従来、ロングブーツを脱いだ時、ロングブーツが倒れたり、胴筒が折れたりし、又、型崩れや皺が出るなどの問題が多く、これを直立状に保持するには、ブーツスタンドやブーツクリップ又は横に寝かせておく状態であり、又、外出先でつかえるブーツ倒れ防止用具が今までなかった為不便であった。
【考案の開示】
【考案の解決しようとする課題】
【０００３】  従来、自宅、又は外出先でロングブーツを脱ぐと、ブーツの上部が倒れて、皺になったり、又、皮の張りや型崩れを防止するため、横に寝かせるか、新聞紙を丸めて詰め込んだりしたが、倒れた部分を起そうとして、それらを詰めるのも面倒だった。又、他の人と共有するスペースにブーツを脱いだ時、倒れて迷惑をかける事等。
本考案は、前述の欠点を解決しようとするものである。ロングブーツを脱いだ時に、折れ曲がってしまい、折れてしまった所に皺がでてしまったりしないように、伸縮自在の指示棒にクリップを固着させ、クリップ付きの伸縮自在の指示棒を、かさばる左右のロングブーツの一方に差込し込みながら指示棒を伸ばす、と同時にクリップで他方のロングブーツを止める、左右のロングブーツきちんと立てて、場所も取らず、しかも皺にもならず、外出時にもバッグ等に携帯できるように、小型にする事を課題とする。
【問題を解決するための手段】
【０００４】  本考案は、上記目的を達成するために、携帯できる伸縮自在の指示棒１を設け、該伸縮自在の指示棒１の頭部２のカバー３を取り外し、逆Ｌ型形状のクリップ４の上部平面部５に穴部６と携帯ストラップ用の小穴７を設ける、指示棒１の頭部２に逆Ｌ型形状のクリップ４の穴部６を挿入し、カバー３を被せ固定したロングブーツ倒れ防止用具であり、自宅でも、又外出時でもバッグにいれて携帯できるよう小型化して問題点を解決していることを特徴としている。
【考案の効果】
【０００５】  上述のように、本考案は、携帯式伸縮自在の倒れ防止用具なので、自宅でも、又、バッグに入れて外出先でもロングブーツを左右同時に直立状態で保持できるので、胴筒が折れたり、皺や型崩れしない効果が大いに期待できる。
【考案を実施するための最良の形態】
【０００６】  上記目的を達成するために、携帯できる伸縮自在の指示棒を設け、該伸縮自在の指示棒の頭部のカバーを取り外し、逆Ｌ型形状のクリップの上部平面部に穴部と携帯ストラップ用の小穴を設ける、指示棒の頭部に逆Ｌ型形状のクリップの穴部を挿入し、カバーを被せ固定したロングブーツ倒れ防止用具であり、自宅でも、又外出時でもバッグにいれて携帯できるよう小型化して問題点を解決していることを特徴としている。
【図面の簡単な説明】
【０００７】
【図１】本考案の正面図
【図２】本考案の右側面図
【図３】本考案の平面図
【図４】逆Ｌ型クリップ正面図
【図５】逆Ｌ型クリップ右側面図
【図６】逆Ｌ型クリップの平面図
【符号の説明】
【０００８】１  伸縮自在の指示棒
２  頭部
３  カバー
４  逆Ｌ型のクリップ
５  平面部
６  穴部
７  ストラップ用穴
【図１】
0003153532.tif 000003
【図２】
0003153532.tif 000004
【図３】
0003153532.tif 000005
【図４】
0003153532.tif 000006
【図５】
0003153532.tif 000007
【図６】
0003153532.tif 000008